(57)【要約】【課題】タッチ操作に関する設定を、表示装置に搭載されたＯＳＤ機能と、外部のコンピュータに搭載された専用のアプリとの両方で行うことが可能なタッチパネル一体型表示装置システムを提供する。【解決手段】タッチパネル一体型表示装置１は、タッチパネル装置１００と表示装置２００とから成り、表示装置２００は、その操作処理部２６０に対して、タッチ操作に関する設定を行うための入力操作が行われると、ＯＳＤメニュー画面を表示用デバイス３００に表示させ、ＯＳＤメニュー画面で設定された設定値をタッチパネル装置１００へ送信する。タッチパネル装置１００は、表示装置２００および専用のアプリが記憶された外部のコンピュータ１０から設定値を受信可能に構成され、設定値制御部１５０は、表示装置２００またはコンピュータ１０から設定値を受信すると、受信した設定値に応じた所定の処理を行う。【選択図】図１
2018084840.tif 000002
【特許請求の範囲】
【請求項１】
タッチ操作を受け付けるタッチ操作受付部と、
自装置についてのタッチ操作に関する設定値を通信可能に接続される表示装置及び外部のコンピュータから受信可能な設定値受信部と、
前記設定値受信部による前記設定値の受信後は、前記タッチ操作受付部で前記タッチ操作が受け付けられた場合に、前記設定値に応じた予め定める処理を行う設定値制御部と、
を備えるタッチパネル装置。
【請求項２】
前記表示装置は、
画像を表示する表示部と、
前記タッチパネル装置についてのタッチ操作に関する設定を行うためのメニュー画面を前記表示部に表示させるメニュー画面表示制御部と、
前記メニュー画面を介して入力された前記タッチ操作に関する設定値を受け付ける設定値受付部と、
前記設定値受付部により受け付けられた前記設定値を前記タッチパネル装置に送信する設定値送信部と、
を含み、
前記設定値受信部は、前記設定値送信部から送信される前記設定値を受信可能である、
請求項１に記載のタッチパネル装置。
【請求項３】
前記設定値受信部により前記コンピュータから設定値を受信したか否に基づき、前記コンピュータで前記タッチ操作に関する設定を行うためのアプリケーションプログラムが動作中であるか否かを判定する判定部と、
ユーザにより前記タッチパネルの設定に関する設定を行うための入力操作が前記表示装置に対して行われた場合に当該表示装置から受信する問い合せに対して、前記判定部による判定情報を前記表示装置に送信する動作情報送信部と、
を含む、
請求項２に記載のタッチパネル装置。
【請求項４】
前記動作情報送信部は、前記判定部による判定情報を前記表示装置に送信することにより、前記アプリケーションプログラムが動作中ではないと判定された場合に、設定値の変更が可能な態様のメニュー画面を前記表示装置の前記表示部に表示させ、前記アプリケーションプログラムが動作中であると判定された場合には、設定値の変更が不可能である態様のメニュー画面を前記表示装置の前記表示部に表示させる、
請求項３に記載のタッチパネル装置。
【請求項５】
前記動作情報送信部は、前記判定部による判定情報を前記表示装置に送信することにより、前記アプリケーションプログラムが動作中であると判定された場合に、前記表示装置の前記表示部に前記アプリケーションプログラムが動作中であることを示すアイコンを表示させる、
請求項４に記載のタッチパネル装置。
【請求項６】
前記設定値受信部が前記コンピュータから前記設定値を受信すると、該設定値を前記表示装置へ送信する送信部を含む、
請求項１から５の何れか一に記載のタッチパネル装置。
【請求項７】
前記送信部は、前記設定値を前記表示装置に送信することにより、前記表示装置に設けられ前記設定値を記憶する設定値記憶部に記憶されている前記設定値を、前記設定値受信部が受信した前記設定値によって更新させる、
請求項６に記載のタッチパネル装置。
【請求項８】
請求項１〜７のいずれかに記載の前記タッチパネル装置と、前記表示装置と、前記コンピュータとを備える、
タッチパネル型表示システム。
【発明の詳細な説明】
【技術分野】
【０００１】
本発明は、タッチパネル一体型表示装置に関する。
【背景技術】
【０００２】
近年、タッチパネル装置と表示装置とが通信可能に接続されて構成されるタッチパネル一体型表示装置が、電子黒板などに用いられている。従来から、このようなタッチパネル一体型表示装置では、タッチパネル装置についてのタッチ操作に関する設定が、専ら表示装置に搭載されたＯＳＤ（On-Screen Display）機能を用いて行われている。
【０００３】
しかしながら、ＯＳＤによる設定では、たとえば、タッチパネル一体型表示装置に外部接続されたＰＣ（Personal Computer）と連携させるような設定（たとえばダブルクリッ
クの速度設定など）を行うことができず、また、視差補正も、画面全体にタッチ位置を明示する必要があるため、ＯＳＤでは困難であるという問題がある。
【０００４】
たとえば特許文献１には、タッチパネル一体型表示装置とＰＣとを備え、表示装置に搭載されているＯＳＤ機能によって、キーボード画像を入力インタフェースとして表示画面に表示させることにより、省スペース化を実現した情報処理システムが開示されている。しかしながら、特許文献１には、タッチパネル装置についてのタッチ操作に関する設定については記載されていない。
【先行技術文献】
【特許文献】
【０００５】
【特許文献１】特開２０１０−８６３２２号公報
【発明の概要】
【発明が解決しようとする課題】
【０００６】
本発明の目的は、タッチパネル装置と表示装置とが通信可能に接続されて構成されるタッチパネル一体型表示装置におけるタッチパネル装置についてのタッチ操作に関する設定を、表示装置におけるＯＳＤと、タッチパネル装置についてのタッチ操作に関する設定を行うための専用のアプリケーションプログラムが記憶された外部のコンピュータとの両方で行うことが可能なタッチパネル一体型表示装置システムを提供することである。
【課題を解決するための手段】
【０００７】
本発明は、タッチパネル装置と表示装置とが通信可能に接続されて構成されるタッチパネル一体型表示装置であって、
前記表示装置は、
画像を表示する表示部と、
前記タッチパネル装置についてのタッチ操作に関する設定を行うためのメニュー画面を前記表示部に表示させるメニュー画面表示制御部と、
前記メニュー画面が前記表示部に表示されているときに、タッチ操作に関する設定値を入力するための操作を受け付ける操作受付部と、
前記操作受付部を介して入力されたタッチ操作に関する設定値を記憶する設定値記憶部と、
前記設定値記憶部に記憶されている設定値を前記タッチパネル装置へ送信する設定値送信部とを含み、
前記タッチパネル装置は、
タッチ操作を受け付けるタッチ操作受付部と、
前記表示装置から設定値を受信する第１の設定値受信部と、
自装置についてのタッチ操作に関する設定を行うためのアプリケーションプログラムが記憶された外部のコンピュータから送信される設定値を受信する第２の設定値受信部と、
前記第１の設定値受信部が設定値を受信すると、その受信後は、前記タッチ操作受付部が受け付けたタッチ操作に対して、前記第１の設定値受信部が受信した設定値に応じた予め定める処理を行い、前記第２の設定値受信部が設定値を受信すると、その受信後は、前記タッチ操作受付部が受け付けたタッチ操作に対して、前記第２の設定値受信部が受信した設定値に応じた予め定める処理を行う設定値制御部とを含むタッチパネル一体型表示装置である。
【０００８】
また本発明は、前記タッチパネル装置は、
前記第２の設定値受信部が設定値を受信すると、該設定値を前記表示装置へ送信する設定値送信部をさらに含み、
前記表示装置は、
前記タッチパネル装置から設定値を受信する設定値受信部と、
自装置の前記設定値受信部が設定値を受信すると、前記設定値記憶部に記憶されている設定値を、受信した設定値によって更新する設定値更新部とをさらに含む。
【０００９】
また本発明は、前記表示装置は、
前記外部のコンピュータにおいて、前記アプリケーションプログラムが動作中であるか否かを判定する判定部と、
前記判定部によって前記アプリケーションプログラムが動作中であると判定されると、前記メニュー画面を介してタッチ操作に関する設定を行うことを禁止する設定禁止部とをさらに含む。
【発明の効果】
【００１０】
本発明によれば、タッチパネル装置と表示装置とが通信可能に接続されて構成されるタッチパネル一体型表示装置におけるタッチパネル装置についてのタッチ操作に関する設定を、表示装置におけるＯＳＤと、タッチパネル装置についてのタッチ操作に関する設定を行うための専用のアプリケーションプログラムが記憶された外部のコンピュータとの両方で行うことができる。
【図面の簡単な説明】
【００１１】
【図１】本発明の第１の実施形態に係るタッチパネル一体型表示装置１の構成を概略的に示すブロック図である。
【図２】タッチパネル装置１００についてのタッチ操作に関する設定を行うためのＯＳＤメニュー画面４００が、設定値の変更が可能な態様で表示されたタッチパネル一体型表示装置１を示す図である。
【図３】タッチパネル装置１００についてのタッチ操作に関する設定を行うためのＯＳＤメニュー画面４００が、設定値の変更が不可能な態様で表示されたタッチパネル一体型表示装置１を示す図である。
【図４】タッチパネル装置１００についてのタッチ操作に関する設定を行うためのメニュー画面４５０が表示されたタッチパネル一体型表示装置１を示す図である。
【図５】タッチパネル装置１００についてのタッチ操作に関する設定を行うための専用のアプリケーションプログラムがインストールされているコンピュータ１０におけるタッチ操作に関する設定を変更する処理の処理手順を示すフローチャートである。
【図６】表示装置２００におけるタッチ操作に関する設定を変更する処理の処理手順を示すフローチャートである。
【図７】タッチパネル装置１００におけるタッチ操作に関する設定を変更する処理の処理手順を示すフローチャートである。
【発明を実施するための形態】
【００１２】
（第１の実施形態）
図１は、本発明の第１の実施形態に係るタッチパネル一体型表示装置１の構成を概略的に示すブロック図である。本実施形態に係るタッチパネル一体型表示装置１は、タッチパネル装置１００と、表示装置２００とを備え、タッチパネル装置１００と表示装置２００とが互いに通信可能に接続されて構成される。
【００１３】
タッチパネル装置１００は、中央演算部１１０と、ＵＳＢ（Universal Serial Bus）通信部１２０と、タッチ検出部１３０と、通信部１４０と、設定値制御部１５０とを含んで構成される。
【００１４】
中央演算部１１０は、タッチパネル装置１００の各部の動作を制御する。中央演算部１１０は、マイクロプロセッサ(Microprocessor)、プログラミングすることができるＬＳＩ(Large Scale Integration)であるＦＰＧＡ(Field Programmable Gate Array)、特定の用途のために設計、製造される集積回路であるＡＳＩＣ(Application Specific Integrated
Circuit)、およびその他の演算機能を有する回路のいずれによって実現されてもよい。
【００１５】
ＵＳＢ通信部１２０は、外部の装置とＵＳＢ接続するためのＵＳＢ端子であり、本実施形態では、図１に示すように、コンピュータ１０との接続に用いられ、タッチ検出部１３０によって算出されたタッチ位置の座標の座標データをコンピュータ１０へ送信し、また、コンピュータ１０から自装置についてのタッチ操作に関する設定値を受信する。
【００１６】
タッチ検出部１３０は、タッチ操作を検出する検出面を有し、該検出面に物体が接触（タッチ）すると、そのタッチ位置の座標を算出する。物体の接触を検出するための方式としては、抵抗膜方式、表面弾性波方式、赤外線方式、電磁誘導方式、静電容量方式などいずれのタイプであってもよい。
【００１７】
通信部１４０は、たとえばＵＡＲＴ（Universal Asynchronous Receiver Transmitter
）およびＩ2Ｃ（Inter-Integrated Circuit）などによって実現され、表示装置２００との間で、自装置についてのタッチ操作に関する設定値などのデータを送受信する。
【００１８】
設定値制御部１５０は、ＵＳＢ通信部１２０がコンピュータ１０から自装置についてのタッチ操作に関する設定値を受信すると、それ以降は、コンピュータ１０から与えられた設定値に応じた予め定める処理を行い、また、通信部１４０が表示装置２００から自装置についてのタッチ操作に関する設定値を受信すると、それ以降は、表示装置２００から与えられた設定値に応じた予め定める処理を行う。
【００１９】
本実施形態では、タッチパネル装置１００についてのタッチ操作に関する設定値として、タッチ動作モードを設定する設定値が用いられている。ここで、タッチ動作モードを設定する設定値とは、複数の位置に同時に指またはスタイラスを接触させて入力することができるマルチタッチと、１箇所の接触しか検出することができないシングルタッチとのいずれかを設定する値のことである。
【００２０】
たとえば、設定値制御部１５０は、タッチ動作モードを設定する設定値としてマルチタッチを示す値を受信すると、タッチ検出部１３０によって算出されたタッチ位置の座標の座標データを、マルチタッチ用の形式であるデジタイザー形式でコンピュータ１０へ送信させ、タッチ動作モードを設定する設定値としてシングルタッチを示す値を受信すると、
タッチ検出部１３０によって算出されたタッチ位置の座標の座標データを、シングルタッチ用の形式であるマウス形式でコンピュータ１０へ送信させる。
【００２１】
表示装置２００は、中央演算部２１０と、映像信号入力端子２２０と、映像信号処理部２３０と、ＯＳＤ（On-Screen Display）表示処理部２４０と、タッチパネル設定処理部
２５０と、操作処理部２６０と、通信部２７０と、表示処理部２８０と、設定値記憶部２９０と、表示用デバイス３００（表示部）とを含んで構成される。
【００２２】
中央演算部２１０は、表示装置２００の各部の動作を制御する。中央演算部２１０は、マイクロプロセッサ、プログラミングすることができるＬＳＩであるＦＰＧＡ、特定の用途のために設計、製造される集積回路であるＡＳＩＣ、およびその他の演算機能を有する回路のいずれによって実現されてもよい。
【００２３】
映像信号入力端子２２０は、外部の装置から出力される映像信号を入力する端子であり、本実施形態では、図１に示すように、コンピュータ１０から出力された映像信号が入力され、入力された映像信号を映像信号処理部２３０へ出力する。映像信号処理部２３０は、映像信号入力端子２２０から受け取った映像信号に所定の処理を施し、所定の処理後の映像信号を表示処理部２８０へ出力する。
【００２４】
ＯＳＤ表示処理部２４０は、タッチパネル装置１００についてのタッチ操作に関する設定、および表示装置２００についての各種の設定を行う際に用いられるＯＳＤメニュー画面の画像データを保持し、ユーザにより、操作処理部２６０に対して、たとえばタッチパネル装置１００についてのタッチ操作に関する設定を行うための入力操作が行われると、タッチ操作に関する設定のためのＯＳＤメニュー画面の画像データを表示処理部２８０へ出力する。
【００２５】
タッチパネル設定処理部２５０は、タッチパネル装置１００に関する設定の制御を行う処理部である。タッチパネル設定処理部２５０は、具体的には、ユーザにより、ＯＳＤメニュー画面を介して、タッチ操作に関する設定が行われると、ユーザにより設定された設定値によって、設定値記憶部２９０に記憶されている設定値を更新し、さらに、更新後の設定値を、通信部２７０を介して、タッチパネル装置１００へ通知する。
【００２６】
操作処理部２６０は、リモートコントロールから送信されるＩＲ（InfraRed：赤外線）信号を受信するＩＲ信号受信部および操作ボタンを有し、ＩＲ信号受信部または操作ボタンを介して入力されたユーザの指示を、中央演算部２１０へ出力する。
【００２７】
通信部２７０は、たとえばＵＡＲＴおよびＩ2Ｃなどによって実現され、タッチパネル装置１００との間で、タッチパネル装置１００についてのタッチ操作に関する設定値などのデータを送受信する。
【００２８】
表示処理部２８０は、表示用デバイス３００に表示される映像の映像信号を表示用デバイス３００に出力する処理部であり、映像信号処理部２３０から映像信号を受け取ると、受け取った映像信号を表示用デバイス３００に出力する。
【００２９】
また、表示処理部２８０は、ＯＳＤ表示処理部２４０からＯＳＤメニュー画面の画像データを受け取ると、表示用デバイス３００に表示されるべき映像に、受け取った画像データに基づくＯＳＤメニュー画面を重畳した映像信号を表示用デバイス３００に出力する。
【００３０】
設定値記憶部２９０は、タッチパネル装置１００についてのタッチ操作に関する設定値を記憶する記憶部である。表示用デバイス３００は、たとえばＬＣＤ（Liquid Crystal Display）やＰＤＰ（Plasma Display Panel）などといった公知の表示デバイスによって実現され、表示処理部２８０から与えられる映像信号に応じた映像を、表示画面に表示する。
【００３１】
コンピュータ１０は、たとえばパーソナルコンピュータおよびワークステーションなどによって実現される。図１では、タッチパネル装置１００についてのタッチ操作に関する設定を行うための専用のアプリケーションプログラム（以下「タッチ設定アプリ」と称する）が予めインストールされたコンピュータ１０を図示している。なお、コンピュータ１０において、タッチパネル装置１００についてのタッチ操作に関する設定を実行するための各種動作は、このタッチ設定アプリを実行することによって実現される。
【００３２】
コンピュータ１０は、ＯＳ（Operating System）２０と、ＵＳＢ通信部３０と、映像信号出力端子４０と、設定メニュー表示部５０と、操作制御部６０と、設定値記憶部７０とを含んで構成される。
【００３３】
ＵＳＢ通信部３０は、外部の装置とＵＳＢ接続するためのＵＳＢ端子であり、本実施形態では、図１に示すように、タッチパネル装置１００との接続に用いられ、タッチパネル装置１００からタッチ位置の座標データを受信し、また、設定値記憶部７０に記憶されている、タッチパネル装置１００についてのタッチ操作に関する設定値をタッチパネル装置１００へ送信する。
【００３４】
映像信号出力端子４０は、外部の装置へ映像信号を出力する端子であり、本実施形態では、図１に示すように、表示装置２００へ映像信号を出力する。設定メニュー表示部５０は、タッチパネル装置１００についてのタッチ操作に関する設定を行うためのメニュー画面の画像データを保持し、ユーザにより、操作制御部６０に対して、あるいは、タッチパネル装置１００を介して、タッチパネル装置１００についてのタッチ操作に関する設定を行うための入力操作が行われると、タッチ操作に関する設定のためのメニュー画面を、映像信号出力端子４０から出力されるべき映像に重畳させる。
【００３５】
操作制御部６０は、キーボードおよびポインティングデバイスなどの入力装置を有し、該入力装置を介して入力されたユーザの指示をＯＳ２０へ出力する。設定値記憶部７０は、タッチパネル装置１００についてのタッチ操作に関する設定値を記憶する記憶部である。
【００３６】
以下、タッチパネル一体型表示装置１に接続されたコンピュータ１０に、タッチ設定アプリがインストールされていない場合と、インストールされている場合とに場合分けして、タッチパネル一体型表示装置１の動作を説明する。
【００３７】
タッチパネル一体型表示装置１に、タッチ設定アプリがインストールされていないコンピュータ１０が接続されている場合に、ユーザにより、表示装置２００の操作処理部２６０に対して、タッチパネル装置１００についてのタッチ操作に関する設定を行うための入力操作が行われると、その入力操作に応答して、タッチパネル設定処理部２５０は、通信部２７０を介して、タッチパネル装置１００に対し、コンピュータ１０においてタッチ設定アプリが動作しているか否かを問い合わせる。
【００３８】
後述するように、タッチ設定アプリがインストールされているコンピュータ１０が接続されている場合には、タッチパネル装置１００は、コンピュータ１０からタッチ操作に関する設定値を受信するが、この場合、コンピュータ１０にはタッチ設定アプリがインストールされていないので、タッチパネル装置１００が、コンピュータ１０からタッチ操作に関する設定値を受信することはない。本実施形態では、タッチパネル装置１００の中央演
算部１１０は、ＵＳＢ通信部１２０が、ＵＳＢ接続されているコンピュータ１０から設定値を受信しなければ、コンピュータ１０においてタッチ設定アプリが動作していないと認識する。したがって、中央演算部１１０は、表示装置２００からの問い合わせに対し、通信部１４０を介して、タッチ設定アプリが動作していない旨を表示装置２００に返答する。
【００３９】
タッチパネル設定処理部２５０は、通信部２７０を介して、タッチ設定アプリが動作していない旨の返答を受け取ると、タッチ操作に関する設定のためのＯＳＤメニュー画面が、設定値の変更が可能な態様で、コンピュータ１０から入力される映像に重畳して表示されるように、表示処理部２８０を制御する。
【００４０】
図２は、タッチパネル装置１００についてのタッチ操作に関する設定を行うためのＯＳＤメニュー画面４００が、設定値の変更が可能な態様で表示されたタッチパネル一体型表示装置１を示す図である。図２では、タッチ動作モードを設定するためのＯＳＤメニュー画面４００を例に挙げて示している。
【００４１】
図２に示すように、設定値の変更が可能な態様で表示された、タッチ動作モードを設定するためのＯＳＤメニュー画面４００には、「マルチタッチ」ボタン４１０と、「シングルタッチ」ボタン４２０とが選択可能に設けられ、ＯＳＤメニュー画面４００の表示直後には、設定値記憶部２９０に記憶されている設定値に対応したボタンが、選択中の状態で表示される。図２の例では、「マルチタッチ」ボタン４１０が選択中の状態で表示されており、この場合、設定値記憶部２９０には、タッチ動作モードの設定値としてマルチタッチが記憶されている。
【００４２】
ＯＳＤメニュー画面４００が図２に示す態様で表示された状態から、ユーザにより、表示装置２００の操作処理部２６０に対して、「シングルタッチ」ボタン４２０を選択し、確定する入力操作が行われると、タッチパネル設定処理部２５０は、ＯＳＤメニュー画面４００の表示を終了させ、新たに設定された設定値によって、設定値記憶部２９０に記憶されている設定値を更新する。すなわち、上記の例では、設定値記憶部２９０において、タッチ動作モードの設定値が、マルチタッチからシングルタッチに更新される。
【００４３】
また、タッチパネル設定処理部２５０は、新たに設定された設定値を、通信部２７０を介して、タッチパネル装置１００に対して通知する。タッチパネル装置１００の設定値制御部１５０は、通信部１４０が表示装置２００から設定値を受信すると、それ以降は、その設定値に応じた予め定める処理を行う。これにより、上記の例では、タッチ検出部１３０によって算出されたタッチ位置の座標の座標データを、マルチタッチ用の形式であるデジタイザー形式でコンピュータ１０へ送信する状態から、シングルタッチ用の形式であるマウス形式でコンピュータ１０へ送信する状態へ切り替えられる。
【００４４】
一方、タッチ設定アプリがインストールされているコンピュータ１０が、タッチパネル一体型表示装置１のタッチパネル装置１００に接続されると、コンピュータ１０は、設定値記憶部７０に記憶されている設定値を、ＵＳＢ通信部３０を介してタッチパネル装置１００へ送信する。なお、本実施形態では、コンピュータ１０は、電源が投入されると、自動的にタッチ設定アプリが起動するように設定されているものとする。
【００４５】
タッチパネル装置１００の設定値制御部１５０は、ＵＳＢ通信部１２０がコンピュータ１０から設定値を受信すると、それ以降は、その設定値に応じて制御を行う。また、タッチパネル装置１００の中央演算部１１０は、ＵＳＢ通信部１２０がコンピュータ１０から設定値を受信すると、コンピュータ１０において、タッチ設定アプリが動作中であることを認識する。
【００４６】
ここで、ユーザにより、表示装置２００の操作処理部２６０に対して、タッチパネル装置１００についてのタッチ操作に関する設定を行うための入力操作が行われると、その入力操作に応答して、タッチパネル設定処理部２５０は、通信部２７０を介して、タッチパネル装置１００に対し、コンピュータ１０においてタッチ設定アプリが動作しているか否かを問い合わせる。
【００４７】
この場合、タッチパネル装置１００の中央演算部１１０は、表示装置２００からの問い合わせに対し、通信部１４０を介して、タッチ設定アプリが動作中である旨を表示装置２００に返答する。
【００４８】
タッチパネル設定処理部２５０は、通信部２７０を介して、タッチ設定アプリが動作中である旨の返答を受け取ると、タッチ操作に関する設定のためのＯＳＤメニュー画面が、設定値の変更が不可能な態様、すなわち設定値の変更を禁止する態様で、コンピュータ１０から入力される映像に重畳して表示されるように、表示処理部２８０を制御する。すなわち、本実施形態では、タッチパネル設定処理部２５０が、設定禁止部として機能する。
【００４９】
図３は、タッチパネル装置１００についてのタッチ操作に関する設定を行うためのＯＳＤメニュー画面４００が、設定値の変更が不可能な態様で表示されたタッチパネル一体型表示装置１を示す図である。図３では、図２と同様に、タッチ動作モードを設定するためのＯＳＤメニュー画面４００を例に挙げて示している。なお、図３に示す例では、コンピュータ１０から映像信号出力端子４０を介して出力される映像に、タッチ設定アプリが動作中であることを示すアイコン４３０が表示されたタスクバー４４０が含まれているものとする。
【００５０】
図３に示すように、設定値の変更が不可能な態様で表示された、タッチ動作モードを設定するためのＯＳＤメニュー画面４００には、図２の場合とは異なり、「マルチタッチ」ボタン４１０および「シングルタッチ」ボタン４２０が設けられておらず、さらに、「タッチパネル動作モード」の文字がグレーアウト表示されている。すなわち、この場合、ユーザは、ＯＳＤメニュー画面４００を介して、タッチパネル装置１００についてのタッチ操作に関する設定を行うことができない。
【００５１】
一方、ユーザにより、タッチパネル装置１００に対して、画面表示されているタスクバー４４０におけるアイコン４３０をクリックするタッチ操作が行われると、コンピュータ１０では、タッチパネル装置１００から送信される座標データに基づいて、アイコン４３０がクリックされたことを検出し、これにより、設定メニュー表示部５０が、タッチ操作に関する設定のためのメニュー画面を、映像信号出力端子４０から出力されるべき映像に重畳させる。
【００５２】
図４は、タッチパネル装置１００についてのタッチ操作に関する設定を行うためのメニュー画面４５０が表示されたタッチパネル一体型表示装置１を示す図である。図４では、タッチ動作モードを設定するためのメニュー画面４５０を例に挙げて示している。
【００５３】
図４に示すように、タッチ動作モードを設定するためのメニュー画面４５０には、マルチタッチおよびシングルタッチが選択可能な項目としてリストアップされているドロップダウンリスト４６０、「ＯＫ」ボタン４７０、ならびに「キャンセル」ボタン４８０が設けられ、メニュー画面４５０の表示直後には、設定値記憶部７０に記憶されている設定値に対応した項目が、ドロップダウンリスト４６０におけるボックス４６５内に表示されている。図４の例では、ボックス４６５内には、マルチタッチが表示されている。すなわち、この場合、設定値記憶部７０には、タッチ動作モードの設定値としてマルチタッチが記
憶されている。
【００５４】
図４に示すメニュー画面４５０が表示された状態から、ユーザにより、タッチパネル装置１００に対して、ドロップダウンリスト４６０においてシングルタッチの項目を選択し、かつ「ＯＫ」ボタン４７０により確定するタッチ操作が行われると、コンピュータ１０では、タッチパネル装置１００から送信される座標データに基づいて、シングルタッチが設定されたことを検出し、設定値記憶部７０において、タッチ動作モードの設定値が、マルチタッチからシングルタッチに更新される。
【００５５】
また、コンピュータ１０は、新たに設定された設定値を、ＵＳＢ通信部３０を介して、タッチパネル装置１００に対して通知する。タッチパネル装置１００の設定値制御部１５０は、ＵＳＢ通信部１２０がコンピュータ１０から設定値を受信すると、それ以降は、その設定値に応じた予め定める処理を行う。これにより、上記の例では、タッチ検出部１３０によって算出されたタッチ位置の座標の座標データを、マルチタッチ用の形式であるデジタイザー形式でコンピュータ１０へ送信する状態から、シングルタッチ用の形式であるマウス形式でコンピュータ１０へ送信する状態へ切り替えられる。
【００５６】
図５は、タッチ設定アプリがインストールされているコンピュータ１０における、タッチ操作に関する設定を変更する処理の処理手順を示すフローチャートであり、図６および図７は、表示装置２００およびタッチパネル装置１００における、タッチ操作に関する設定を変更する処理の処理手順を示すフローチャートである。
【００５７】
図５に示すように、タッチ設定アプリがインストールされているコンピュータ１０では、電源が投入されると、ステップｓ１で、タッチ設定アプリを起動させて、ステップｓ２に進む。
【００５８】
ステップｓ２で、コンピュータ１０は、タッチパネル装置１００が接続されたか否かを判定し、接続された場合にのみステップｓ３に進む。ステップｓ３で、コンピュータ１０は、設定値記憶部７０に記憶されている設定値をタッチパネル装置１００へ送信して、ステップｓ４に進む。
【００５９】
ステップｓ４で、設定メニュー表示部５０は、操作制御部６０に対して、あるいは、タッチパネル装置１００を介して、タッチパネル装置１００についてのタッチ操作に関する設定を行うための入力操作が行われたか否かを判定し、行われた場合にのみステップｓ５に進む。
【００６０】
ステップｓ５で、設定メニュー表示部５０は、タッチ操作に関する設定のためのメニュー画面を、映像信号出力端子４０から出力されるべき映像に重畳させ、ステップｓ６に進む。ステップｓ６で、コンピュータ１０は、タッチ操作に関する設定値を変更する入力操作が行われたか否かを判定し、行われた場合にはステップｓ７に進み、行われなかった場合には処理を終了する。
【００６１】
ステップｓ７で、コンピュータ１０は、新たに設定された設定値によって、設定値記憶部７０に記憶されている設定値を更新し、ステップｓ８に進む。ステップｓ８で、コンピュータ１０は、新たに設定された設定値を、ＵＳＢ通信部３０を介して、タッチパネル装置１００に対して通知し、処理を終了する。
【００６２】
一方、表示装置２００では、図６に示すように、タッチパネル一体型表示装置１に電源が投入されると、ステップｓ１１で、タッチパネル設定処理部２５０が、設定値記憶部２９０に記憶されている設定値を、タッチパネル装置１００へ送信し、ステップｓ１２に進む。
【００６３】
ステップｓ１２で、タッチパネル設定処理部２５０は、操作処理部２６０に対して、タッチ操作に関する設定を行うための入力操作が行われたか否かを判定し、行われた場合にのみ、ステップｓ１３に進む。ステップｓ１３で、タッチパネル設定処理部２５０は、タッチパネル装置１００に対し、コンピュータ１０においてタッチ設定アプリが動作しているか否かを問い合わせて、ステップｓ１４に進む。
【００６４】
ステップｓ１４で、タッチパネル設定処理部２５０は、タッチパネル装置１００からの返答に基づいて、コンピュータ１０においてタッチ設定アプリが動作しているか否かを判定し、動作していない場合にはステップｓ１５に進み、動作している場合にはステップｓ１９に進む。
【００６５】
ステップｓ１５で、タッチパネル設定処理部２５０は、タッチ操作に関する設定を行うためのＯＳＤメニュー画面が、設定値の変更が可能な態様で表示されるように、表示処理部２８０を制御して、ステップｓ１６に進む。
【００６６】
ステップｓ１６で、タッチパネル設定処理部２５０は、タッチ操作に関する設定値を変更する入力操作が行われたか否かを判定し、行われた場合にはステップｓ１７に進み、行われなかった場合には処理を終了する。
【００６７】
ステップｓ１７で、タッチパネル設定処理部２５０は、新たに設定された設定値によって、設定値記憶部２９０に記憶されている設定値を更新し、ステップｓ１８に進む。ステップｓ１８で、タッチパネル設定処理部２５０は、新たに設定された設定値を、タッチパネル装置１００に対して通知し、処理を終了する。
【００６８】
ステップｓ１９で、タッチパネル設定処理部２５０は、タッチ操作に関する設定を行うためのＯＳＤメニュー画面が、設定値の変更が不可能な態様で表示されるように、表示処理部２８０を制御して、処理を終了する。
【００６９】
また、タッチパネル装置１００では、図７に示すように、タッチパネル一体型表示装置１に電源が投入されると、ステップｓ２１で、中央演算部１１０が、通信部１４０を介して、表示装置２００から設定値を取得し、ステップｓ２２に進む。ステップｓ２２で、中央演算部１１０は、ＵＳＢ通信部１２０がコンピュータ１０から設定値を受信したか否かを判定し、受信した場合にはステップｓ２３に進み、受信しない場合にはステップｓ２５に進む。
【００７０】
ステップｓ２３で、中央演算部１１０は、通信部１４０が表示装置２００から問い合わせを受信したか否かを判定し、受信した場合にはステップｓ２４に進み、受信しない場合にはステップｓ２８に進む。ステップｓ２４で、中央演算部１１０は、通信部１４０を介して、表示装置２００へタッチ設定アプリが動作している旨の返答を行い、ステップｓ２８に進む。
【００７１】
ステップｓ２５で、中央演算部１１０は、通信部１４０が表示装置２００から問い合わせを受信したか否かを判定し、受信した場合にはステップｓ２６に進み、受信しない場合にはステップｓ２８に進む。ステップｓ２６で、中央演算部１１０は、通信部１４０を介して、表示装置２００へタッチ設定アプリが動作していない旨の返答を行い、ステップｓ２７に進む。ステップｓ２７で、中央演算部１１０は、通信部１４０を介して、表示装置２００から設定値を取得し、ステップｓ２８に進む。
【００７２】
ステップｓ２８以降は、タッチパネル装置１００についてのタッチ操作に関する設定値が、タッチ動作モードを設定する設定値であるとして説明する。ステップｓ２８で、設定値制御部１５０は、ＵＳＢ通信部１２０あるいは通信部１４０を介して、最も新しく受信した、タッチ動作モードを設定する設定値が、シングルタッチであるかマルチタッチであるかを判定し、シングルタッチである場合にはステップｓ２９に進み、マルチタッチである場合にはステップｓ３１に進む。
【００７３】
ステップｓ２９で、設定値制御部１５０は、タッチ検出部１３０においてタッチ操作が検出されたか否かを判定し、検出された場合にのみステップｓ３０に進む。ステップｓ３０で、設定値制御部１５０は、シングルタッチ用のマウス形式で、タッチ位置の座標データをコンピュータ１０へ送信し、処理を終了する。
【００７４】
ステップｓ３１で、設定値制御部１５０は、タッチ検出部１３０においてタッチ操作が検出されたか否かを判定し、検出された場合にのみステップｓ３２に進む。ステップｓ３２で、設定値制御部１５０は、マルチタッチ用のデジタイザー形式で、タッチ位置の座標データをコンピュータ１０へ送信し、処理を終了する。
【００７５】
以上のように、本実施形態によれば、タッチパネル装置１００と表示装置２００とが通信可能に接続されて構成されるタッチパネル一体型表示装置１におけるタッチパネル装置１００についてのタッチ操作に関する設定を、表示装置２００におけるＯＳＤと、タッチ設定アプリが記憶された外部のコンピュータ１０との両方で行うことができる。
【００７６】
また、表示装置２００は、タッチパネル装置１００に接続されたコンピュータ１０においてタッチ設定アプリが動作中である場合には、操作処理部２６０に対して、タッチ操作に関する設定を行うための入力操作が行われたとしても、タッチ操作に関する設定のためのＯＳＤメニュー画面を、設定値の変更が不可能な態様で表示させるように構成されているので、ＯＳＤによる設定とコンピュータ１０による設定とが同時に行われることにより、システムに不具合が発生してしまうことを防止することができる。
【００７７】
（第２の実施形態）
本発明の第２の実施形態として、第１の実施形態に係るタッチパネル一体型表示装置１において、設定値記憶部２９０に記憶される設定値と、コンピュータ１０の設定値記憶部７０に記憶されている設定値とを一致させるようにしてもよい。
【００７８】
具体的には、タッチパネル装置１００の中央演算部１１０は、ＵＳＢ通信部１２０がコンピュータ１０から設定値を受信した場合には、受信した設定値を、通信部１４０を介して表示装置２００へ送信するようにする。
【００７９】
そして、表示装置２００では、通信部２７０がタッチパネル装置１００から設定値を受信すると、タッチパネル設定処理部２５０は、その受信した設定値によって、設定値記憶部２９０に記憶されている設定値を更新するようにする。この場合、タッチパネル設定処理部２５０は、設定値更新部として機能する。これにより、設定値記憶部２９０に記憶される設定値と、コンピュータ１０の設定値記憶部７０に記憶されている設定値とを一致させることができる。
【００８０】
このように、設定値記憶部２９０に記憶される設定値と、コンピュータ１０の設定値記憶部７０に記憶されている設定値とを一致させるようにすることで、タッチ設定アプリがインストールされているコンピュータ１０とタッチパネル一体型表示装置１との接続を遮断した後に、タッチパネル一体型表示装置１の電源が投入されたとしても、ユーザは、タッチ設定アプリがインストールされているコンピュータ１０とタッチパネル一体型表示装
置１とが接続されていたときと同様の設定によりタッチ操作を行うことができる。
【００８１】
（第３の実施形態）
本発明の第３の実施形態として、第１の実施形態に係るタッチパネル一体型表示装置１において、タッチパネル装置１００についてのタッチ操作に関する設定値として、タッチ入力モードを設定する設定値およびタッチパネル装置１００に対するタッチ操作の有効／無効を設定する設定値のうちの少なくとも一方を、タッチ動作モードを設定する設定値に代えて、あるいはタッチ動作モードを設定する設定値とともに用いるようにしてもよい。
【００８２】
ここで、タッチ入力モードを設定する設定値とは、検出面に対するタッチ操作が、専用のスタイラスによって入力されるのか、指によって入力されるのかを設定する値のことである。
【００８３】
このような本実施形態においても、第１の実施形態と同様に、タッチパネル装置１００についてのタッチ操作に関する設定を、表示装置２００におけるＯＳＤと、タッチ設定アプリが記憶された外部のコンピュータ１０との両方で行うことができる。
【符号の説明】
【００８４】
１  タッチパネル一体型表示装置
１０  コンピュータ
１００  タッチパネル装置
１１０  中央演算部
１２０  ＵＳＢ通信部
１３０  タッチ検出部
１４０  通信部
１５０  設定値制御部
２００  表示装置
２１０  中央演算部
２２０  映像信号入力端子
２３０  映像信号処理部
２４０  ＯＳＤ表示処理部
２５０  タッチパネル設定処理部
２６０  操作処理部
２７０  通信部
２８０  表示処理部
２９０  設定値記憶部
３００  表示用デバイス
【図１】
2018084840.tif 000003
【図２】
2018084840.tif 000004
【図３】
2018084840.tif 000005
【図４】
2018084840.tif 000006
【図５】
2018084840.tif 000007
【図６】
2018084840.tif 000008
【図７】
2018084840.tif 000009